(57)【要約】      （修正有）【課題】吸引面を殴打する機構を有する掃除機ヘッドにおいて、片持ちの棒体で棒体の撓りを利用して殴打面を殴打できる構造を有する掃除機ヘッドを提供する。【解決手段】掃除機ヘッドＸとして、側面に細長い吸引口１１が形成されたパイプ体からなる吸い込み部１０と、吸い込み部１０の基端側に設けられる軸流羽根車３０と、軸流羽根車３０を気密的に収納するファンカバー部２０と、ファンカバー部２０に先端側が連通し、基端側が掃除機の吸い込みホース先端に係合固定できる係合パイプ４０と、軸流羽根車３０の先端側に固定されるクランク機構５０と、クランク機構５０のコネクティングロッド５２の動作を規制する規制部材６０と、コネクティングロッド５２の自由端側に設けられる可撓性を有する棒体からなる叩き棒７０とを設ける。【選択図】図１
0003185711.tif 000002
【実用新案登録請求の範囲】
【請求項１】
先端側が閉じられるとともに、側面に長手方向に沿った細長い吸い込み口が形成されたパイプ体からなる吸い込み部と、
前記吸い込み部の基端側に設けられる、吸い込み方向に平行な回転軸回りに回転する軸流羽根車と、
前記軸流羽根車を気密的に収納し、先端側において前記吸い込み部基端側に一連に繋がるファンカバー部と、
前記ファンカバー部の前記軸流羽根車よりも基端側において、先端側が連通し、基端側が掃除機の吸い込みホース先端に係合固定できるように形成された係合パイプと、
前記軸流羽根車の先端側に固定され、前記軸流羽根車の回転により前記回転軸回りに回転する前記回転軸と平行な偏心軸と、当該偏心軸に設けられるコネクティングロッドとからなるクランク機構と、
前記コネクティングロッドの自由端側に設けられる前記回転軸軸に平行な方向に突出する突起と、
前記突起が摺動可能に嵌るスリットを有し、当該スリットが前記吸い込み口から前記回転軸の先端側への延長部分へ向かう方向に平行、かつ、前記回転軸に直交するように、前記ファンカバー部に固定される規制部材と、
前記コネクティングロッドの自由端側に設けられる前記吸い込み部内部に延びる可撓性を有する棒体からなる叩き棒と
を有する掃除機ヘッド。
【請求項２】
前記ファンカバー外周の前記吸い込み口の延長部分に重なる位置に、高さを調節するためのブロック体が着脱可能に設けられる請求項１に記載の掃除機へット。
【考案の詳細な説明】
【技術分野】
【０００１】
本考案は掃除機のホース先端に設けられる掃除機ヘッドに関する。
【背景技術】
【０００２】
掃除機の吸引口となる掃除機ヘッドには、吸引対象となる、ふとんなどの繊維体から埃を浮き上がらせるために吸引口近傍を殴打する機能を有するものがある。例えば、下記特許文献１には、掃除機ヘッド内に叩き棒とこれを駆動するバイブレーターを設けたものが示されている。特許文献２には掃除機ヘッドに発生する吸引力で吸引方向に直角な回転軸を有するタービンを回し、回転軸に設けたカムにより吸引面を殴打するものが示されている。特許文献３には、掃除機ヘッド内に弾性力を変えた線状の叩き部材を配列することで、これらが吸引される際に吸引量の差によって負圧が下がり、弾性力で叩き棒が戻る力により吸引面を殴打するものが示されている。引用文献４には、吸引力により間欠的に上下動するピストンを設け、これにより吸引面を殴打するものが示されている。
【先行技術文献】
【特許文献】
【０００３】
【特許文献１】実開平2-130548号公報
【特許文献２】特開2005-177485号公報
【特許文献３】特開平9-182702号公報
【特許文献４】特開平9-224885号公報
【考案の概要】
【考案が解決しようとする課題】
【０００４】
ところで、布団叩きで布団を叩く場合を想定すると、手で布団を叩くよりも布団叩きで布団を叩く方が布団叩きの撓りを利用できるのでより効果的に布団を叩くことができる。このことを踏まえて先行技術を見てみると、特許文献２や４に記載の考案は、殴打部分が上下に往復運動をするものであり、特許文献３に記載の考案においては、殴打部分が両端を支持された線材の中央部分が上下に往復運動するものであるので、これらは、手で布団を叩いている状態に相当する。特許文献１に記載の考案は棒体を片持ちで支持しているので、布団叩きに近いが、棒体をバイブレーターにより振動させているので棒体の撓りを利用することができず、棒体の先端にバイブレーターの振動を伝えているに過ぎない。
本考案は、このような観点に立ち、吸引面を殴打する機構を有する掃除機ヘッドにおいて、片持ちの棒体で棒体の撓りを利用して殴打面を殴打できる構造を提供することを課題とする。
【課題を解決するための手段】
【０００５】
上記課題を解決するために、本考案は次のような構成を有する。
請求項１に記載の考案は、先端側が閉じられるとともに、側面に長手方向に沿った細長い吸い込み口が形成されたパイプ体からなる吸い込み部と、前記吸い込み部の基端側に設けられる、吸い込み方向に平行な回転軸回りに回転する軸流羽根車と、前記軸流羽根車を気密的に収納し、先端側において前記吸い込み部基端側に一連に繋がるファンカバー部と、前記ファンカバー部の前記軸流羽根車よりも基端側において、先端側が連通し、基端側が掃除機の吸い込みホース先端に係合固定できるように形成された係合パイプと、前記軸流羽根車の先端側に固定され、前記軸流羽根車の回転により前記回転軸回りに回転する前記回転軸と平行な偏心軸と、当該偏心軸に設けられるコネクティングロッドとからなるクランク機構と、前記コネクティングロッドの自由端側に設けられる前記回転軸軸に平行な方向に突出する突起と、前記突起が摺動可能に嵌るスリットを有し、当該スリットが前記吸い込み口から前記回転軸の先端側への延長部分へ向かう方向に平行、かつ、前記回転軸に直交するように、前記ファンカバー部に固定される規制部材と、前記コネクティングロッドの自由端側に設けられる前記吸い込み部内部に延びる可撓性を有する棒体からなる叩き棒とを有する掃除機ヘッドである。なお、前記突起は、たたき棒が兼用する場合ありうる。
請求項２に記載の考案は、前記掃除機ヘッドにおいて、前記ファンカバー外周の前記吸い込み口の延長部分に重なる位置に、高さを調節するためのブロック体が着脱可能に設けられるものである。
【考案の効果】
【０００６】
請求項１に記載の考案は、掃除機本体からの吸引により、吸い込み口から吸い込み部、ファンカバー内に気流が発生し、これによって、軸流羽根車が回転することでクランク機構が作動する。そして、クランク機構のコネクティングロッド自由端近傍は規制部材により往復運動するように規制されるとともに、コネクティングロッドの自由端近傍には叩き棒の基端が固定されているので、叩き棒の基端部も往復運動を行う。これにより叩き棒全体は撓りながら吸い込み口に向かって往復運動をするので効率的に吸引面を殴打することができる。
請求項２に記載の考案は、ファンカバー外周の基端部外周の吸い込み口の延長部分に重なる位置に高さを調整するためのブロック体を着脱可能に設けることで、シーツなどの柔らかく吸い込みやすい対象物を吸引する場合には、ブロック体を装着して、吸い込み口と吸引対象との距離を広くし、絨毯や敷布団などの吸い込まれにくい対象物を吸引する場合には、ブロック体を装着しないことで吸い込み口と吸引対象との距離を近くするといったように、吸引対象に応じて適宜吸引口の位置を調節することができる。
【図面の簡単な説明】
【０００７】
【図１】実施形態に係る掃除機ヘッドの一部破断斜視図である。
【図２】実施形態に係る掃除機ヘッドのクランク機構及び叩き棒の背面側からの拡大斜視図である。
【図３】（ａ）〜（ｄ）はクランク機構の動作を示す図である。
【考案を実施するための形態】
【０００８】
以下、本考案の実施の形態について、図面を参照しながら説明する。
図１に本実施形態に係る掃除機ヘッドＸの一部破断斜視図を示す。掃除機ヘッドＸは、吸い込み部１０、ファンカバー２０、軸流羽根車３０、係合パイプ４０、クランク機構５０、規制部材６０、叩き棒７０を有する。また、掃除機ヘッドＸには選択的に使用する部品として、高さ調節ブロック８０を着脱することができる。
【０００９】
吸い込み部１０は先端側が閉じられ、図における下方側の側面に吸引口１１となる開口が形成されたパイプ体である。
ファンカバー２０は吸い込み部１０の基端側に内部が連通する、吸い込み部１０の長手方向にやや細長い、気密的に閉じた円筒状の側面を有する箱体である。
係合パイプ４０は先端側においてファンカバー２０の基端側に内部が連通するパイプ体であり、基端側は所定の掃除機の吸い込みホース先端に係合できるような形状に形成されている。
【００１０】
軸流羽根車３０は、ファンカバー内に固定される軸流軸流羽根車であって、回転軸の方向が掃除機による吸引気流の方向に平行になるようになっている。軸流羽根車３０は、円筒状のファンカバー内壁に固定される外枠３１と、図示しない外枠の背面側に固定される中心を通る細い部材からなるフレームと、フレームの中心に固定される回転軸と、回転軸に回転可能に固定される羽根車本体３２とより構成される。羽根車本体３２は中心部に円柱体３２ａを有し、この外周に複数枚の羽根が固定されている。
【００１１】
クランク機構５０は、軸流羽根車３０の円柱体３２ａの先端側に中心軸から偏心した位置に固定される偏心軸５１と、偏心軸５１にベアリングを介して回転自在に固定される細長い板体からなるコネクティングロッド５２とから構成される。図２にクランク機構５０、規制部材６０、叩き棒７０からなる部分を基端側からみた拡大斜視図を示す。図に示すようにコネクティングロッド５２の基端側には丸棒からなる突出片５２ａが固定されている。
規制部材６０は、コネクティングロッド５２に設けられた突出片５２ａが摺動可能に嵌るスリットが形成された板体からなる部材であり、スリットが図における下方から上方に向かうようにファンカバー２０に固定されている。これにより、コネクティングロッド５２の突出片５２ａ部分は上下動しかできないように規制される。
【００１２】
叩き棒７０はプラスチック、竹、ピアノ線などの可撓性のある棒体により形成されものであって、基端部がクランク機構５０のコネクティングロッド５２の自由端側に固定され、吸い込み部１０の長手方向に沿うように、吸い込み部１０内部に設けられる。叩き棒７０はこのように固定されるので、叩き棒７０の基端部は軸流羽根車３０の回転によりほぼ図における上下に往復運動を行う。このことを、図３を用いて説明する。図３の各図はクランク機構５０部分を基端側から見た図である。例えば、クランク機構５０の偏心軸５１が図３（ａ）に示すように最下端にあるときには、コネクティングロッド５２の自由端も最下端にあるので、叩き棒７０の基端部も最下端位置にある。ここから軸流羽根車３０の羽根車本体３２が少し回転して図３（ｂ）に示すような状態となると、コネクティングロッド５２の固定部は斜め上方に移動するが、コネクティングロッド５２は突起片５２ａが規制部材６０により移動が規制されているので、突起片５２ａは上方へと移動する。これに伴い叩き棒７０の基端部はやや右にずれながら上方に移動する。さらに羽根車本体３２が回転して図３（ｃ）に示すように偏心軸５１が最上端位置にくると、叩き棒７０の基端部も最上端位置に達する。そして、さらに羽根車本体３２が回転して図３（ｄ）に示すような状態となるとコネクティングロッド５２の固定部は最上端から斜め下方に移動する一方、コネクティングロッド５２の突起片５２ａが規制部材６０により移動が規制されているので、突起片５２ａは最上端から下方へと移動する。これにより叩き棒７０の基端部も最上端位置からやや左ずれながら下方に移動する。さらに、羽根車本体３２が回転すると図３（ａ）の位置に戻る。なお、突起片５２ａと叩き棒７０の固定位置がずれると、叩き棒７０の基端部は縦長の楕円軌道を描くが、突起片５２ａと叩き棒７０の固定位置を一致させると叩き棒７０の基端部は直線的な往復運動を行う。この場合、突起片５２ａをなくして、規制部材６０のスリットを叩き棒７０の基端部に係合させるようにしても、同様の動作を実現することができる。
【００１３】
高さ調節ブロック８０は、断面三日月状のブロック体からなる本体部８１と狭持アーム８２とから構成される。本体部８０は、内周面がファンカバー２０の外周下面に合致する曲面を有する。狭持アーム８２は本体部８１の両端に設けられ、ファンカバー２０の両側周面を狭持するような内周面を有する薄い板体により形成される。
【００１４】
次に、以上のような構成を有する掃除機ヘッドＸの使用方法について説明する。使用に際しては、電気掃除機の吸引ホースの先端に掃除機ヘッドＸの係合パイプ４０の基端部を係合させて固定する。また、通常は不要であるが、吸引対象がシーツなどの柔らかいものである場合は、吸引面との距離をとるために高さ調節ブロック８０をファンカバー２０下面に装着する。その後、掃除機のスイッチを入れて通常の掃除機ヘッドと同様に吸引口を吸引対象に向けて掃除を行う。この際、掃除機により吸引される空気により軸流羽根車３０が回転し、これによってクランク機構５０が作動することにより叩き棒７０の基端部は吸引口に向かう方向及び離れる方向に往復運動を行う。叩き棒７０は可撓性を有する素材により形成されているので、基端部の往復運動により全体が撓りながら吸引対象面を効率的に殴打し、吸引対象面からは埃やダニなどを舞い上がり、吸引口１１は、これらの埃等を逐次吸引していく。
このように本実施形態に係る掃除機ヘッドＸは、叩き棒の一端を上下させながら叩き棒の撓りを利用して吸引対象面を殴打するので強く対象面を叩くことができ、効率的に埃等を舞い上がらせて吸引することができる。
【符号の説明】
【００１５】
Ｘ  掃除機ヘッド
１０  吸い込み部
１１  吸引口
２０  ファンカバー
３０  軸流羽根車
４０  係合パイプ
５０  クランク機構
５１  偏心軸
５２  コネクティングロッド
５２ａ  突起片
６０  規制部材
７０  叩き棒
８０  高さ調節ブロック
【図１】
0003185711.tif 000003
【図２】
0003185711.tif 000004
【図３】
0003185711.tif 000005